(57)【要約】【課題】手術用吸収シートの紐部材に折癖がつきにくく、手術用吸収シートが取り外しやすい手術用吸収シート台板を提供する。【解決手段】吸収シート本体３および紐部材４を有する手術用吸収シート２を保持するための手術用吸収シート台板１に関する。表面部16および裏面部を有する台板本体11を備える。この台板本体11は、表面部16に位置し吸収シート本体３を配設するシート配設部17を有する。また、紐部材４が順次巻き掛けられる複数の紐部材支持部18，19，20を表面部16に設ける。これら紐部材支持部18，19，20は、少なくとも紐部材４の最も基端側に対応する紐部材支持部18において、巻き掛けられた紐部材４の紐部材支持部18より基端側と先端側との角度ａが鈍角になるように配置する。【選択図】図１
2014039643.tif 000002
【特許請求の範囲】
【請求項１】
吸収シート本体と、この吸収シート本体に取り付けられた紐状の紐部材とを有する手術用吸収シートを保持するための手術用吸収シート台板であって、
前記吸収シート本体が表面部に配設される台板本体を備え、
この台板本体は、前記吸収シート本体が配設されるシート配設部と、前記表面部に位置し紐部材が順次巻き掛けられる複数の紐部材支持部とを有し、
これら紐部材支持部は、少なくとも前記紐部材の最も基端側に対応する紐部材支持部において、巻き掛けられた紐部材の前記紐部材支持部より前記吸収シート本体側である基端側と、巻き掛けられた紐部材の前記紐部材支持部より前記吸収シート本体とは反対側である先端側との角度が鈍角になるように配置されている
ことを特徴とする手術用吸収シート台板。
【請求項２】
紐部材は、吸収シート本体側である基端部と、吸収シート本体とは反対側である先端部と、これら基端部と先端部との間に位置する中間部とを有し、
少なくとも前記基端部は、紐部材支持部より前記吸収シート本体側である基端側と、前記紐部材支持部より前記吸収シート本体とは反対側である先端側とが鈍角になるように前記紐部材支持部に巻き掛けられる
ことを特徴とする請求項１記載の手術用吸収シート台板。
【請求項３】
複数の紐部材支持部は、各紐部材支持部において、巻き掛けられた紐部材の前記紐部材支持部より前記吸収シート本体側である基端側と、巻き掛けられた紐部材の前記紐部材支持部より前記吸収シート本体とは反対側である先端側とが鈍角になるように配置されている
ことを特徴とする請求項１または２記載の手術用吸収シート台板。
【請求項４】
台板本体は、一部が切り欠かれてフラップ部が形成され、
前記フラップ部における基端の両端部が紐部材支持部となる
ことを特徴とする請求項１ないし３いずれか記載の手術用吸収シート台板。
【請求項５】
台板本体は、略矩形板状であり、周縁部の１辺に紐部材引掛部および紐部材固定部が設けられ、
紐部材は、各紐部材支持部より先端側が前記紐部材引掛部に係合され、この紐部材引掛部より先端側が紐部材固定部に固定される
ことを特徴とする請求項１ないし４いずれか記載の手術用吸収シート台板。
【発明の詳細な説明】
【技術分野】
【０００１】
本発明は、吸収シート本体に紐状の紐部材が取り付けられた手術用吸収シートを保持するための手術用吸収シート台板に関するものである。
【背景技術】
【０００２】
例えば、脳神経外科手術などの外科手術の際には、患者の血液や体液などの吸収や、患部の保護のため、専用の紐付きの手術用吸収シートを使用する。この手術用吸収シートは、手術の終了に際して、患者の体内から取り除く必要があるが、比較的小型であり見落とすおそれがあるので、目印として吸収シート本体に紐部材が取り付けられている。
【０００３】
そして、このような手術用吸収シートを収納や搬送する際に取り扱い易いように保持するために手術用吸収シート台板が使用される。
【０００４】
従来、この種の手術用吸収シート台板としては、台板本体の１辺に形成され、紐部材を引っ掛けることが可能な切込とを有する第１切込部と、台板本体における第１切込部に対向する辺に形成され紐部材を引っ掛けることが可能な切込を有する第２切込部と、第１切込部および第２切込部とは異なる辺に形成され紐部材を引っ掛けることが可能な切込を有する第３切込部とを具備したものが知られている。また、この手術用吸収シート台板では、紐部材が表面部から第１切込部に引っ掛けられ第２切込部に向かって裏面部を沿って配設され、第２切込部に引っ掛けられて第３切込部に向かって表面部に沿って配設されて、第３切込部に引っ掛けられる（例えば、特許文献１参照。）。
【先行技術文献】
【特許文献】
【０００５】
【特許文献１】特開２０１０−９４２８６号公報
【発明の概要】
【発明が解決しようとする課題】
【０００６】
しかしながら、上述の特許文献１の構成では、紐部材が、台板本体の辺、すなわち台板本体の周縁部に設けられた各切込に引っ掛けるように折り返されて台板本体の表面部および裏面部に沿って巻き付けられているため、手術用吸収シートを使用する際に、紐部材を台板本体から外しても、紐部材に折癖がついて折れ曲がったままの状態となるため、手術用吸収シートを使用しにくい問題が考えられる。特に紐部材における吸収シート本体側である基端部に折癖がついていると、手術用吸収シートが使用しにくくなる。
【０００７】
また、手術用吸収シートを使用する際には、台板本体に巻き付けられた紐部材を巻き取るように取り外す必要があり、手の動きが大きくなるため、取り外し作業が煩雑になり、台板本体から紐部材が取り外しにくく、手術用吸収シートが使用しにくいという問題が考えられる。
【０００８】
本発明はこのような点に鑑みなされたもので、手術用吸収シートの紐部材に折癖がつきにくく、手術用吸収シートが取り外しやすい手術用吸収シート台板を提供することを目的とする。
【課題を解決するための手段】
【０００９】
請求項１に記載された手術用吸収シート台板は、吸収シート本体と、この吸収シート本体に取り付けられた紐状の紐部材とを有する手術用吸収シートを保持するための手術用吸収シート台板であって、前記吸収シート本体が表面部に配設される台板本体を備え、この台板本体は、前記吸収シート本体が配設されるシート配設部と、前記表面部に位置し紐部材が順次巻き掛けられる複数の紐部材支持部とを有し、これら紐部材支持部は、少なくとも前記紐部材の最も基端側に対応する紐部材支持部において、巻き掛けられた紐部材の前記紐部材支持部より前記吸収シート本体側である基端側と、巻き掛けられた紐部材の前記紐部材支持部より前記吸収シート本体とは反対側である先端側との角度が鈍角になるように配置されているものである。
【００１０】
請求項２に記載された手術用吸収シート台板は、請求項１記載の手術用吸収シート台板において、紐部材は、吸収シート本体側である基端部と、吸収シート本体とは反対側である先端部と、これら基端部と先端部との間に位置する中間部とを有し、少なくとも前記基端部は、紐部材支持部より前記吸収シート本体側である基端側と、前記紐部材支持部より前記吸収シート本体とは反対側である先端側とが鈍角になるように前記紐部材支持部に巻き掛けられるものである。
【００１１】
請求項３に記載された手術用吸収シート台板は、請求項１または２記載の手術用吸収シート台板において、複数の紐部材支持部は、各紐部材支持部において、巻き掛けられた紐部材の前記紐部材支持部より前記吸収シート本体側である基端側と、巻き掛けられた紐部材の前記紐部材支持部より前記吸収シート本体とは反対側である先端側とが鈍角になるように配置されているものである。
【００１２】
請求項４に記載された手術用吸収シート台板は、請求項１ないし３いずれか記載の手術用吸収シート台板において、台板本体は、一部が切り欠かれてフラップ部が形成され、前記フラップ部における基端の両端部が紐部材支持部となるものである。
【００１３】
請求項５に記載された手術用吸収シート台板は、請求項１ないし４いずれか記載の手術用吸収シート台板において、台板本体は、略矩形板状であり、周縁部の１辺に紐部材引掛部および紐部材固定部が設けられ、紐部材は、各紐部材支持部より先端側が前記紐部材引掛部に係合され、この紐部材引掛部より先端側が紐部材固定部に固定されるものである。
【発明の効果】
【００１４】
請求項１に記載された発明によれば、複数の紐部材支持部が、少なくとも紐部材の最も基端側に対応する紐部材支持部において、巻き掛けられた紐部材の紐部材支持部より基端側と先端側とが鈍角になるように配置されているため、紐部材に折癖がつきにくい。
【００１５】
また、複数の紐部材支持部が表面部に位置しているため、台板本体から紐部材を取り外しやすく、手術用吸収シートを使用しやすい。
【００１６】
請求項２に記載された発明によれば、紐部材は、少なくとも基端部が、紐部材支持部にて、紐部材支持部より基端側と先端側とが鈍角になるように巻き掛けられるため、紐部材の基端部に折癖がつきにくく、手術用吸収シートを使用しやすい。
【００１７】
請求項３に記載された発明によれば、複数の紐部材支持部は、各紐部材支持部において、巻き掛けられた紐部材の紐部材支持部より基端側と先端側とが鈍角になるように配置されているため、紐部材に折癖がつきにくい。
【００１８】
請求項４に記載された発明によれば、台板本体の一部を切り欠くことによりフラップ部が形成され、このフラップ部の基端の両端部が紐部材支持部となるため、紐部材支持部を容易に形成できるとともに、紐部材をフラップ部に引っ掛けるように巻き掛けることができるため、台板本体から紐部材が外れにくい。
【００１９】
請求項５に記載された発明によれば、紐部材引掛部および紐部材固定部が台板本体の周縁部の１辺に設けられているため、紐部材を確実に固定できるとともに、紐部材引掛部および紐部材固定部による紐部材の固定を解除しやすく、紐部材を取り外しやすい。
【図面の簡単な説明】
【００２０】
【図１】本発明の第１の実施の形態に係る手術用吸収シート台板の構成を示す平面図である。
【図２】同上手術用吸収シート台板に保持される手術用吸収シートを示す平面図である。
【図３】本発明の第２の実施の形態に係る手術用吸収シート台板の構成を示す平面図である。
【発明を実施するための形態】
【００２１】
以下、本発明の第１の実施の形態の構成について図面を参照しながら説明する。
【００２２】
図１において、１は手術用吸収シート台板であり、この手術用吸収シート台板１は、図２に示すような手術用吸収シート２を搬送や収納する際に保持するためのものである。
【００２３】
手術用吸収シート２は、長手方向および幅方向を有する略矩形状の吸収シート本体３を有し、この吸収シート本体３には、長手方向の一端部から引き出されるように紐状の紐部材４が取り付けられている。
【００２４】
吸収シート本体３は、例えば、脱脂綿、レーヨンおよびパルプなどが少なくとも一部で使用され、患者の血液や体液などの液体を吸収可能である。
【００２５】
また、吸収シート本体３の大きさは、用途に応じて適宜設計可能であるが、手術などでの使用を考慮すると、幅方向の長さが５ｍｍ以上３０ｍｍ以下で、長手方向の長さが１０ｍｍ以上８０ｍｍ以下程度の大きさが好ましい。
【００２６】
さらに、吸収シート本体３は、手術後の遺残確認のためのＸ線造影部材が配設された構成にしてもよい。
【００２７】
紐部材４は、用途に応じて素材を適宜選択可能であるが、脳外科手術などでの使用を考慮すると、合成樹脂製の繊維や綿糸などで形成された柔軟なものが好ましい。
【００２８】
また、紐部材４の長さは、用途に応じて適宜設計可能であるが、脳外科手術などでの使用を考慮すると、２５ｃｍ程度が好ましい。
【００２９】
図２に示すように、紐部材４は、一端が吸収シート本体３に取り付けられている。この紐部材４は、吸収シート本体３に取り付けられた一端側である基端部５と、吸収シート本体３とは反対側である他端側の先端部６と、これら基端部５と先端部６との間に位置する中間部７とを有している。
【００３０】
手術用吸収シート台板１は、吸収シート本体３が配設されるとともに紐部材４が固定される台板本体11を有している。
【００３１】
この台板本体11は、長手方向および幅方向を有する略矩形板状であり、長手方向の両端である周縁部12，13、および、幅方向の両端である周縁部14，15を有している。
【００３２】
また、台板本体11は、吸収シート本体３が配設される表面部16、および、この表面部16とは反対側の面である図示しない裏面部を有している。
【００３３】
なお、台板本体11は、吸収シート本体３が配設しやすいように吸収シート本体３より大きく設計されている。
【００３４】
また、台板本体11は、搬送する際や紐部材４の着脱の際に変形しにくい程度の剛性を有するよう、例えば厚紙や合成樹脂などにて形成される。
【００３５】
さらに、台板本体11の素材として紙を使用する場合には、紙粉が出ないようにＰＰフィルムなどでコーティングすることが好ましい。
【００３６】
このような台板本体11の表面部16には、吸収シート本体３が配設されるシート配設部17と、紐部材４が順次巻き掛けられる複数、例えば３つの略円柱状の紐部材支持部18，19，20とが設けられている。
【００３７】
シート配設部17は、台板本体11の一部を切り欠いて形成された複数、例えば２つのフラップ状の保持片21を有する。そして、これら保持片21と台板本体11とで吸収シート本体３を挟むことにより、吸収シート本体３を表面部16上で係止するように、吸収シート本体３が表面部16に配設された状態を保持する。
【００３８】
紐部材支持部18，19，20は、周縁部12，13，14，15より内側にて表面部16から突出して形成されている。
【００３９】
そして、吸収シート本体３からの紐部材４は、紐部材支持部18の周面の一部に巻き掛けられ、表面部16に沿って紐部材支持部19に向かって配設される。また、紐部材支持部18からの紐部材４は、同様に紐部材支持部19の周面の一部に巻き掛けられ、次いで紐部材支持部20の周面の一部に巻き掛けられ、表面部16上にて紐部材４の一部が支持される。
【００４０】
なお、紐部材４は、基端部５が紐部材支持部18，19に巻き掛けられ、中間部７が紐部材支持部20に巻き掛けられている。
【００４１】
ここで、紐部材支持部18は、この紐部材支持部18に巻き掛けられた紐部材４において、紐部材支持部18より吸収シート本体３側である基端側と、紐部材支持部18より吸収シート本体３とは反対側の紐部材支持部19側である先端側との角度ａが鈍角、例えば１０５度となるように配置されている。すなわち、紐部材支持部18に巻き掛けられた紐部材４は、紐部材支持部18を中心に基端側と先端側とで構成される角度ａが１０５度となっている。
【００４２】
また、紐部材支持部19は、巻き掛けられた紐部材４が、紐部材支持部19を中心に基端側と先端側とで構成される角度ｂが鈍角、例えば１００度となるように配置されている。
【００４３】
さらに、紐部材支持部20は、巻き掛けられた紐部材４が、紐部材支持部20を中心に基端側と先端側とで構成される角度ｃが鈍角、例えば９５度となるように構成されている。
【００４４】
すなわち、表面部16に配設された紐部材４は、角度ａ＞角度ｂ＞角度ｃとなっており、基端側の方が角度が大きくなっている。
【００４５】
台板本体11は、幅方向の端部である周縁部14に、紐部材支持部20からの紐部材４の先端部６が引っ掛けられるように係合される紐部材引掛部22が設けられている。また、周縁部14の紐部材引掛部22より周縁部12側には、紐部材引掛部22からの紐部材４が固定される紐部材固定部23が設けられている。
【００４６】
紐部材引掛部22は、周縁部14から台板本体11の幅方向内側に向かって細く三角形上に切り欠かれた切欠部24と、この切欠部24の先端から台板本体11の幅方向内側に向かって線状に切り込まれ紐部材４を挟み込むことが可能な切込線部25とを有している。
【００４７】
紐部材固定部23は、紐部材引掛部22側に位置する第１の固定部26と、この第１の固定部26より周縁部12側に位置する第２の固定部27とを有している。
【００４８】
第１の固定部26は、周縁部14から台板本体11の幅方向内側に向かって細く三角形上に切り欠かれた切欠部28を有している。
【００４９】
また、第２の固定部27は、周縁部14から台板本体11の幅方向内側に向かって細く三角形上に切り欠かれた切欠部29と、この切欠部29の先端から台板本体11の幅方向内側に向かって線状に切り込まれ紐部材４を挟み込むことが可能な切込線部30とを有している。
【００５０】
そして、紐部材支持部20に巻き掛けられた紐部材４は、紐部材引掛部22に引っ掛けられて切込線部25に挟み込まれるように固定された状態で周縁部12側へ折り返され、裏面部に沿って紐部材固定部23へ向かって配設される。
【００５１】
また、紐部材引掛部22に引っ掛けられて裏面部に配設された紐部材４は、切欠部28を通って再度表面部16に配設され、切欠部29から切込線部30間に挟み込まれるように固定される。
【００５２】
次に、上記第１の実施の形態の作用および効果を説明する。
【００５３】
手術用吸収シート２を手術用吸収シート台板１に配設して保持する際には、まず、台板本体11の表面部16において、吸収シート本体３を台板本体11と保持片21にて挟むようにシート配設部17に配設する。この際、吸収シート本体３の紐部材４側の端部が保持片21の基端部に接触し、紐部材４が２つの保持片21の間から表面部16側へ引き出されるように吸収シート本体３を配設する。
【００５４】
このように配設された手術用吸収シート２の紐部材４は、基端部５を、紐部材支持部18および紐部材支持部19に順次巻き掛けた後、中間部７を紐部材支持部20に巻き掛ける。
【００５５】
紐部材支持部20に巻き掛けた紐部材４は、中間部７における紐部材支持部20より先端側にて吸収シート本体３を表面部16上に固定するように、中間部７を紐部材支持部20から吸収シート本体３上に配設し、紐部材引掛部22に引っ掛ける。
【００５６】
紐部材引掛部22では、紐部材４を切欠部24から切込線部25に挟み込むように固定して表面部16側から裏面部側へ向かって配設し、紐部材４の先端部６における紐部材引掛部22より先端側を裏面部に沿って紐部材固定部23へ向かって配設する。
【００５７】
また、紐部材引掛部22から裏面部に沿って配設された紐部材４を、切欠部28を通って裏面部側から表面部16側へ配設し、紐部材４における切欠部28より先端側を表面部16に沿って第１の固定部26と第２の固定部27との間に配設する。
【００５８】
そして、第１の固定部26から表面部16に沿って配設された紐部材４を、切欠部29から切込線部30に挟み込むように挿入して固定する。
【００５９】
このように手術用吸収シート台板１に配設された手術用吸収シート２を取り外す際には、紐部材４における第２の固定部27より先端側を台板本体11の幅方向外側へ向かって引っ張るようにして、切込線部30から紐部材４を外し第２の固定部27による紐部材４の固定を解除するとともに、切欠部28から紐部材４を外して第１の固定部26から紐部材４を取り外す。
【００６０】
このように紐部材固定部23から取り外された紐部材４を、そのまま引っ張るようにして切込線部25から外して、紐部材引掛部22から紐部材４を外す。
【００６１】
また、そのまま紐部材支持部20、紐部材支持部19および紐部材支持部18の外側を回すようにして、順次紐部材４を紐部材支持部20、紐部材支持部19および紐部材支持部18から外し、シート配設部17から吸収シート本体３を取り外す。
【００６２】
そして、上記手術用吸収シート台板１によれば、紐部材４は、最も基端側に位置する紐部材支持部18にて、この紐部材支持部18より基端側と先端側との角度ａが鈍角となるように巻き掛けられるため、紐部材４の基端部５に折癖がつきにくい。すなわち、例えば上記特許文献１のように、紐部材４の基端部５が、台板本体11の周縁部に引っ掛けて表面部16側から裏面部側へ折り返した状態や、裏面部側から表面部16側へ折り返した状態で保持されることがないため、紐部材４の基端部５に折癖がつきにくい。そのため、手術などにて使用する際に、紐部材４が折れ曲がったままの状態になりにくく、使用しやすい。
【００６３】
また、紐部材支持部18，19，20が表面部16に位置しているため、台板本体11から紐部材４を外す際に、例えば上記特許文献１などのように、紐部材４を表面部16および裏面部の周囲で回して巻き取るように操作する必要がなく、表面部16側から裏面部側へ手を動かすことなく表面部16上で紐部材４を操作できるとともに、紐部材固定部23に対して横方向に紐部材４を引っ張るだけで固定を解除でき、紐部材４を取り外しやすい。そのため、例えば手術などの際においても、台板本体11から紐部材４を取り外しやすく、手術用吸収シート２を使用しやすい。
【００６４】
台板本体11は、周縁の１辺すなわち周縁部14に紐部材引掛部22および紐部材固定部23が設けられているため、これら紐部材引掛部22および紐部材固定部23にて確実に紐部材４を固定できるとともに、上述のような操作のみで紐部材引掛部22および紐部材固定部23による紐部材４の固定を解除でき、紐部材４を取り外しやすい。
【００６５】
また、台板本体11は、シート配設部17がフラップ状の保持片21を有するため、表面部16上にて吸収シート本体３を位置決めでき、シート配設部17による吸収シート本体３の保持力を向上できる。
【００６６】
紐部材４は、基端部５が、紐部材支持部18および紐部材支持部19にて、これら紐部材支持部18および紐部材支持部19より基端側と先端側との角度ａおよび角度ｂが鈍角になるように巻き掛けられているため、吸収シート本体３に近い基端部５に折癖がつきにくく、手術用吸収シート台板１から取り外した手術用吸収シート２を使用しやすい。
【００６７】
また、同様に、紐部材４は、紐部材４の中間部７が紐部材支持部20にて、この紐部材支持部20より基端側と先端側との角度ｃが鈍角となるように巻き掛けられているため、中間部７に折癖がつきにくく、手術用吸収シート台板１から取り外した手術用吸収シート２を使用しやすい。
【００６８】
さらに、紐部材支持部18，19，20に巻き掛けられた紐部材４は、角度ａ＞角度ｂ＞角度ｃとなっており、基端側の方が角度が大きくなっていることにより、紐部材４の基端側すなわち吸収シート本体３に近い部分に折癖がつきにくく、手術用吸収シート台板１から取り外した手術用吸収シート２を使用しやすい。
【００６９】
また、紐部材支持部18，19，20は、各紐部材支持部18，19，20における基端側と先端側との角度ａ、角度ｂおよび角度ｃが全て鈍角になるように配置されているため、紐部材４に折癖がつきにくい。
【００７０】
なお、上記第１の実施の形態では、手術用吸収シート台板１に１つの手術用吸収シート２が配設された構成としたが、このような構成には限定されず、手術用吸収シート２の数は適宜変更できる。
【００７１】
吸収シート本体３および台板本体11が長手方向および幅方向を有する略矩形状の形状で台板本体11が吸収シート本体３より大きい構成としたが、このような構成には限定されず、台板本体11に吸収シート本体３が配設できる構成であれば、台板本体11および吸収シート本体３の形状や大きさは使い勝手などを考慮して適宜設計できる。
【００７２】
シート配設部17は、フラップ状の保持片21を有する構成としたが、このような構成には限定されず、吸収シート本体３が配設可能な構成であれば、例えば特に何も設けずに吸収シート本体３の配設スペースを確保するだけの構成などにしてもよい。
【００７３】
紐部材支持部18，19，20は、表面部16から突出した略円柱状の構成としたが、このような構成には限定されず、紐部材４を巻き掛けることができる構成であればよい。
【００７４】
また、紐部材支持部18，19，20を表面部16から突出した構成にする場合は、例えば台板本体11を裏面部側から表面部16側へ押圧して凸状に形成する構成、台板本体11の表面部16の一部を厚く成形する構成、および、台板本体11の表面部16の一部に別部材を接合する構成など、紐部材支持部18，19，20が表面部16と一体であっても別体であってもよく、外周面の一部を突出させて巻き掛けた紐部材４を係止できる構成などにしてもよい。
【００７５】
紐部材支持部18，19，20は、これら紐部材支持部18，19，20に巻き掛けられた紐部材４における角度ａ、角度ｂおよび角度ｃが鈍角となるように配置された構成としたが、このような構成には限定されず、少なくとも紐部材４の最も基端側に対応する紐部材支持部18において、巻き掛けられた紐部材４の基端側と先端側との角度ａが鈍角になるように配置された構成であれば、角度ｂおよび角度ｃは鈍角にならなくてもよい。
【００７６】
また、角度ａ、角度ｂおよび角度ｃの角度は、上記角度に限定されず、鈍角にする場合は、９０度より大きく１８０度より小さい角度であればよい。
【００７７】
さらに、紐部材支持部18，19，20は、紐部材４の基端部５が紐部材支持部18，19に巻き掛けられ、紐部材４の中間部７が紐部材支持部20に巻き掛けられた構成としたが、このような構成には限定されず、紐部材４の巻き掛ける位置は適宜設定できる。
【００７８】
紐部材引掛部22および紐部材固定部23は、周縁部14に設けられた構成としたが、このような構成には限定されず、例えば、紐部材引掛部22と紐部材固定部23とが台板本体11の周縁の別の辺に設けられた構成にしてもよい。
【００７９】
次に、第２の実施の形態を図３を参照して説明する。なお、上記第１の実施の形態と同一の構成及び作用については、同一符号を付してその説明を省略する。
【００８０】
この第２の実施の形態では、複数、例えば１０個の手術用吸収シート２が手術用吸収シート台板１にて保持されている。
【００８１】
また、台板本体11には、一部が円弧状に切り欠かれ折曲線にて表面部16側へ折り曲げられた複数、例えば２つの半円状のフラップ部42，43が形成されている。
【００８２】
紐部材４は、フラップ部42，43の基端の裏面部側に引っ掛けられるように配設可能であり、フラップ部42，43の基端の両端部、すなわち折曲線の両端部が紐部材支持部44，45，46，47となる。
【００８３】
また、フラップ部42は、紐部材支持部45が紐部材支持部44より周縁部13側に位置するように配置されている。
【００８４】
そして、紐部材４の基端部５がフラップ部42における紐部材支持部44，45に巻き掛けられ、紐部材４の中間部７がフラップ部43における紐部材支持部46，47に巻き掛けられる。
【００８５】
すなわち、吸収シート本体３からの紐部材４は、基端部５がフラップ部42の裏面部側に引っ掛けられるように紐部材支持部44，45に巻き掛けられて、表面部16上に配設される。また、紐部材支持部45からの紐部材４は、中間部７がフラップ部43の裏面部側に引っ掛けられるように紐部材支持部46，47に巻き掛けられて表面部16上に配設される。
【００８６】
また、紐部材支持部44，45，46，47は、紐部材支持部44に巻き掛けられた紐部材４の基端側と先端側との角度ｄが鈍角、例えば１００度となるように配置されている。また、紐部材支持部45に巻き掛けられた紐部材４の基端側と先端側との角度ｅが鈍角、例えば１１５度となるように配置されている。さらに、紐部材支持部46に巻き掛けられた紐部材４の基端側と先端側との角度ｆが鈍角、例えば１１５度となるように配置されている。また、紐部材支持部45に巻き掛けられた紐部材４の基端側と先端側との角度のうち、最も小さい角度ｇが鈍角、例えば１０５度となるように配置されている。
【００８７】
そして、台板本体11の一部を切り欠くことによりフラップ部42，43が形成され、これらフラップ部42，43の基端部の両端が紐部材支持部44，45，46，47となるため、紐部材支持部44，45，46，47を容易に形成できる。
【００８８】
また、紐部材４をフラップ部42，43の裏面部側に引っ掛けるように巻き掛けることができるため、台板本体11から紐部材４が外れにくい。
【００８９】
さらに、紐部材支持部45が紐部材支持部44より吸収シート本体３の長手方向における周縁部13側に位置することにより、手術用吸収シート２を手術用吸収シート台板１に取り付ける際に、紐部材４を、フラップ部42に引っ掛けやすいとともに、手術用吸収シート２を取り外す際に、フラップ部42から外しやすい。
【００９０】
ここで、台板本体11の周縁部14には、想定される手術用吸収シート２の数に対応した複数の例えば１０個の紐部材引掛部48が設けられている。
【００９１】
これら紐部材引掛部48は、周縁部14から四角形状に切り欠かれた切欠部49と、この切欠部49から台板本体11の幅方向内側へ線状に切り込まれた切込線部50とを有している。
【００９２】
そして、各手術用吸収シート２の紐部材支持部47からの紐部材４は、それぞれ先端部６が別個の紐部材引掛部48に引っ掛けられ、紐部材固定部23で固定される。
【００９３】
また、各紐部材４の先端部６がそれぞれ別個の紐部材引掛部48に引っ掛けられた状態では、紐部材４における紐部材引掛部48の基端側と先端側との角度が約６５度から１２５度となっている。
【００９４】
このように紐部材４が配設された状態では、各紐部材４は、基端部５と中間部７と先端部６とが平面視にて重ならないため、手術用吸収シート２を使用する際に紐部材４を外しやすいとともに、紐部材４に折癖などの変形が生じにくい。
【００９５】
また、想定される手術用吸収シート２の数に対応した数の紐部材引掛部48が設けられたことにより、手術用吸収シート２の使用前または使用後に手術用吸収シート台板１に配設された手術用吸収シート２の数を確認しやすい。
【００９６】
なお、上記第２の実施の形態では、台板本体11に２つのフラップ部42，43が設けられた構成としたが、このような構成には限定されず、フラップ部の数は適宜設定できる。
【００９７】
また、台板本体11を円弧状に切り欠いて半円状のフラップ部42，43が形成された構成としたが、このような構成には限定されず、紐部材４を引っ掛けることが可能であればフラップ部42，43の形状は適宜設計できる。
【符号の説明】
【００９８】
１    手術用吸収シート台板
２    手術用吸収シート
３    吸収シート本体
４    紐部材
５    基端部
６    先端部
７    中間部
11    台板本体
16    表面部
17    シート配設部
18    紐部材支持部
19    紐部材支持部
20    紐部材支持部
22    紐部材引掛部
23    紐部材固定部
42    フラップ部
43    フラップ部
44    紐部材支持部
45    紐部材支持部
46    紐部材支持部
47    紐部材支持部
48    紐部材引掛部
【図１】
2014039643.tif 000003
【図２】
2014039643.tif 000004
【図３】
2014039643.tif 000005